(57)【要約】【課題】靴の養生（摩耗防止）、摩耗した靴底の補修あるいは靴内における足の保護、緩衝、滑り防止、安定性向上などの様々な用途に使用可能な履物用パッドを提供する。【解決手段】履物用パッド２０は、周縁２０ａが長円形をした可撓性を有するシート材２０ｓの中央部分に厚さが一定のフラット部２０ｆを設け、フラット部２０ｆと周縁２０ａとの間の領域にフラット部２０ｆから周縁２０ａに向かって連続的に厚さが増大したテーパ部２０ｔを設けている。フラット部２０ｆとテーパ部２０ｔとの境界部２０ｂは周縁２０ａと相似な長円形をなしている。また、フラット部２０ｆの中央部に貫通孔２１が開設され、フラット部２０ｆ及びテーパ部２０ｔの裏面（シート材２０の裏面）に、剥離シート付きの粘着面が設けられている。【選択図】図１
2012045161.tif 000002
【特許請求の範囲】
【請求項１】
周縁が長円形をした可撓性を有するシート材の中央部分に厚さが一定のフラット部を設け、前記フラット部と前記周縁との間の領域に前記フラット部から前記周縁に向かって連続的に厚さが増大したテーパ部を設けたことを特徴とする履物用パッド。
【請求項２】
前記フラット部及び前記テーパ部の片面に、剥離シート付きの粘着面を設けたことを特徴とする請求項１記載の履物用パッド。
【請求項３】
前記フラット部の一部に貫通孔を開設したことを特徴とする請求項１または２記載の履物用パッド。
【発明の詳細な説明】
【技術分野】
【０００１】
本発明は、靴の養生（摩耗防止）、摩耗した靴底の補修あるいは靴内における足の保護、緩衝、滑り防止、安定性向上など様々な用途に使用可能な履物用パッドに関する。
【背景技術】
【０００２】
靴については、従来、様々なアイディアが提案されているが、本願発明に関連するものとして、例えば、特許文献１記載の靴底補修部品がある。この靴底補修部品は、擦り減った靴の踵や爪先の補修箇所のサイズに合わせて切断して使用されるものであり、外周が厚く、中央穴部分の内周にかけて薄くなっているドーナツ形状の素材である。
【先行技術文献】
【特許文献】
【０００３】
【特許文献１】特開平９−２９４６０９号公報
【発明の概要】
【発明が解決しようとする課題】
【０００４】
特許文献１記載の靴底補修部品は、ドーナツ形状の外周から内周にかけて薄くなった素材であるため、靴の踵や爪先において斜めに擦り減った部分の補修には好適であるが、用途が限定される。
【０００５】
本発明が解決しようとする課題は、靴の養生（摩耗防止）、摩耗した靴底の補修あるいは靴内における足の保護、緩衝、滑り防止、安定性向上などの様々な用途に使用可能な履物用パッドを提供することにある。
【課題を解決するための手段】
【０００６】
本発明の履物用パッドは、周縁が長円形をした可撓性を有するシート材の中央部分に厚さが一定のフラット部を設け、前記フラット部と前記周縁との間の領域に前記フラット部から前記周縁に向かって連続的に厚さが増大したテーパ部を設けたことを特徴とする。
【０００７】
このような構成とすれば、厚さが一定のフラット部と、周縁に向かって連続的に増厚したテーパ部とを備え、テーパ部の周縁が円弧状部分及び直線状部分で形成されていることにより、フラット部やテーパ部から使用目的に適した形状に切り出したパッド片を靴底や靴内底の一部に貼着することができるため、靴の養生（摩耗防止）、摩耗した靴底の補修あるいは靴内における足の保護、緩衝、滑り防止、安定性向上などの様々な用途に使用可能である。
【０００８】
ここで、前記フラット部及び前記テーパ部の片面に、剥離シート付きの粘着面を設ければ、前記フラット部や前記テーパ部から切り出したパッド片を、接着剤を使用することなく、靴底や靴内底に貼着することができるため、貼着時の作業性が向上するだけでなく、接着剤の乾燥を待つ必要もなくなる。
【０００９】
一方、前記フラット部の一部に貫通孔を開設すれば、当該貫通孔に鋏の刃先を差し込んで切り出し作業を開始することが可能となるため、切断作業が容易となる。
【発明の効果】
【００１０】
本発明により、靴の養生（摩耗防止）、摩耗した靴底の補修あるいは靴内における足の保護、緩衝、滑り防止、安定性向上などの様々な用途に使用可能な履物用パッドを提供することができる。
【図面の簡単な説明】
【００１１】
【図１】本発明の実施形態である履物用パッドを示す表面図である。
【図２】図１に示す履物用パッドの裏面図である。
【図３】図１のＡ−Ａ線における断面図である。
【図４】図１のＢ−Ｂ線における断面図である。
【図５】図１に示す履物用パッドの使い方を示す底面図である。
【図６】図１に示す履物用パッドの使い方を示す水平断面図である。
【図７】図１に示す履物用パッドの使い方を示す底面図である。
【発明を実施するための形態】
【００１２】
以下、図面に基づいて本発明の実施形態について説明する。図１〜図４に示すように、履物用パッド２０は、周縁２０ａが長円形をした可撓性を有するシート材２０ｓの中央部分に厚さ２０Ｔｆが一定のフラット部２０ｆを設け、フラット部２０ｆと周縁２０ａとの間の領域にフラット部２０ｆから周縁２０ａに向かって連続的に厚さ２０Ｔｔが増大したテーパ部２０ｔを設けている。フラット部２０ｆとテーパ部２０ｔとの境界部２０ｂは周縁２０ａと相似する長円形をなしている。
【００１３】
また、フラット部２０ｆの中央部には貫通孔２１が開設されている。さらに、図２〜図４に示すように、フラット部２０ｆ及びテーパ部２０ｔの裏面（シート材２０ｓの裏面）には、剥離シート２２付きの粘着面２０ｃが設けられている。なお、貫通孔２１の位置は限定しないので、フラット部２０ｆの中央部以外の部分に開設することもできる。
【００１４】
次に、図５，図６，図７を参照しながら、図１に示す履物用パッド２０の使い方について説明する。図５に示すように、新しい靴１０を下ろす前に、その靴底１０ａの摩耗し易い部分１０ｂに予めパッド片２０ｐを貼着しておくことにより、新しい靴１０の養生（摩耗防止）を図ることができる。この場合、摩耗し易い部分１０ｂの位置や大きさは、靴１０を履く人によって異なるので、その人が履き続けている靴（図示せず）の靴底の摩耗部分の形状に基づいて、履物用パッド２０からパッド片２０ｐを切り出し、裏面の剥離シート２２ｐ（図２参照）を剥がして、粘着面（図示せず）を靴１０の摩耗し易い部分１０ｂに貼着する。
【００１５】
図３，図４に示すように、履物用パッド２０は、シート材２０ｓの中央部分に位置する厚さ２０Ｔｆが一定のフラット部２０ｆと、フラット部２０ｆから周縁２０ａに向かって厚さ２０Ｔｔが連続的に増大したテーパ部２０ｔと、を備え、長円形をなす周縁２０ａには直線状部分と円弧状部分とが存在する。従って、靴１０の靴底１０ａの摩耗し易い部分１０ｂの形状にほぼ見合ったサイズ、形状のパッド片２０ｐを切り出すことが可能であり、このパッド片２０ｐの粘着面２０ｃ（図２参照）を、摩耗し易い部分に貼着することにより、靴１０の養生（摩耗の防止）を図ることができる。
【００１６】
なお、図５に示すパッド片２０ｐの形状、靴底１０ａにおける貼着位置などは例示であって、これらに限定するものではないので、履く人によって異なる、靴底１０ａの摩耗し易い部分１０ｂの位置や形状に基づいて、パッド片の形状、貼着位置などを決定することができる。一般に、靴底１０ａの減り方は、外側の方が深く、内側に向かって浅くなる傾向があるが、履物用パッド２０から切り出したパッド片２０ｐは、それに合わせた形状となっている。
【００１７】
図５に示すように、履物用パッド２０においては、フラット部２０ｆの中央部に貫通孔２１が開設されているため、パッド片２０ｐを切り出す際に、当該貫通孔２１に鋏の刃先を差し込んで切断作業を開始することが可能であり、作業性が良好である。パッド片２０ｐは、予め摩耗し易い部分１０ｂに応じた形状に整えた後、その部分に貼着することができるが、作業手順は限定しないので、摩耗し易い部分よりも大きめのサイズに切り出したパッド片２０ｐを摩耗し易い部分１０ｂに貼着した後、当該摩耗し易い部分１０ｂからはみ出したパッド片２０ｐの一部をカットして形を整えることもできる。靴底１０ａは、相当な運動量や荷重を受けるため、パッド片２０ｐは、摩耗し易い部分１０ｂの実寸より大きめのサイズに切り出し、貼着面を広くして、剥がれ難くする必要がある。そのためには、テーパ部２０ｔだけを使って部分貼りや当て貼りをするのではなく、図５に示すように、フラット部２０ｆにかけて貼着面を引き延ばした形状にカットして、なるべく靴底１０ａの幅いっぱいに貼着する方が望ましく、このようにすれば、接着がより強固になり、かつ靴底１０ａの違和感・段差感が少なく、安定性も増す。
【００１８】
また、図２に示すように、履物用パッド２０において、フラット部２０ｆ及びテーパ部２０ｔの裏面（シート材２０ｓの裏面）に、剥離シート２２付きの粘着面２０ｃを設けているため、履物用パッド２０から切り出したパッド片２０ｐは、剥離シート２２を剥がすだけで摩耗し易い部分１０ｂに貼着可能である。従って、補修用接着剤が不要であり、接着剤が乾燥する時間を待つ必要もないので、作業の迅速化を図ることができる。なお、履物用パッド２０を構成するシート材２０ｓの素材は可撓性及びクッション性を有する合成樹脂を採用しているが、これに限定しないので、可撓性、柔軟性及びクッション性などを有する天然樹脂や複合素材などを採用することもできる。
【００１９】
次に、図６に基づいて、図１に示す履物用パッド２０のその他の使い方について説明する。図６に示すように、履物用パッド２０から切り出したパッド片２０ｘ，２０ｙを、それぞれ新しい靴１０の内底１０ｃにおいて、靴１０を履く人の足裏の５本の指の付け根の下の膨らんだ部分（以下、「膨らみ部分」という。）や、土踏まず部分とそれぞれ対向する部分に貼着することもできる。この場合、靴１０を履く人の足裏の膨らみ部分や土踏まず部分にそれぞれ対応したサイズ、形状に切り出したパッド片２０ｘ，２０ｙを、その粘着面（図示せず）を下にして靴１０の内底１０ｃに貼着する。
【００２０】
図６に示すように、パッド片２０ｘ，２０ｙを、靴１０の内底１０ｃにおいて、靴１０を履く人の足裏の膨らみ部分や土踏まず部分と対向する部分にそれぞれ貼着すれば、魚の目や靴擦れの苦痛の軽減や扁平足のアーチサポートに有効である。なお、パッド片２０ｘ，２０ｙのサイズ、形状や貼着位置などは、図６に示す形態に限定しないので、用途に応じて適宜決定することができる。
【００２１】
図１，図２に示す履物用パッド２０は、これを構成するシート材２０ｓの周縁２０ａが長円形であるため、フラット部２０ｆを挟んで位置する二つのテーパ部２０ｔには直線帯状部Ｓが存在する。従って、履物用パッド２０から直線的な形状のパッド片を切り出して貼着する場合に好適である。
【００２２】
靴底の摩耗状態（減り方）は、その靴を履く人によって多種多様であるが、履く人固有の摩耗状態（減り方）があることが知られている。このため、新しく下ろした靴を長期間履き続けると、その靴底は、それ以前に履き古した靴と同じような減り方をすることが予測される。従って、新しい靴を使用開始するとき、履き古した靴の靴底を観察して摩耗部分を確認し、図５に示すように、新しい靴１０の靴底１０ａにおける前記摩耗部分に該当する部分（摩耗し易い部分１０ｂ）に、履物用パッド２０から切り出したパッド片２０ｐを予め貼着しておけば、靴１０の養生（摩耗の防止）を図ることができる。
【００２３】
また、新品の靴１０に貼着したパッド片２０ｐなどが摩耗したら、新たに切り出したパッド片２０ｐなどを再び貼着することにより、靴底１０ａ自体の摩耗を回避することができるので、自分の足に馴染んだ靴１０を長期間に亘って履き続けることができる。
【００２４】
殆どの人の骨格は、多かれ、少なかれ左右非対称であり、自分では気付かない僅かな程度であるが、左右の脚長は異なっている。この脚長差は、鏡の前に立って骨盤の左右の位置や、スカートのウエストあるいはズボンのベルトの左右を見れば、その高低差を視認することができる。また、両脚を揃え、うつ伏せになった状態で、左右の踵の位置を他人に見てもらうという方法によっても左右の脚長差を確認することもできる。左右の脚長差があると骨盤が傾き、身体は無意識に脊椎でその歪みを調整してくれるが、その分、脊椎に負担が掛かり、長期間経過するうちに脊椎まで歪んでくると言われている。脚長差が著しい場合は、特別な装具や靴が必要となるが、若干の脚長差であれば、市販の靴の底に、履物用パッド２０から切り出したパッド片を貼着すれば、ある程度の左右差脚差の補高、矯正を図ることができる。この場合、靴底全体の嵩上げを図るため、図７に示すように、履物用パッド２０より、パッド片２０ｋ，２０ｍ，２０ｎを、靴底１０ａの幅サイズに切り出し、その全面を靴底１０ａに貼着するが、適宜、重ね貼りも可能である。このように、新しい靴を下ろすときに、骨盤の低くなっている側の靴底１０ａに履物用パッド２０から切り出したパッド片２０ｋ，２０ｍ，２０ｎを貼ることにより、脚長差の補高、矯正を図ることができる。
【００２５】
補高用として、新しい靴の底に貼着したパッド片は養生も兼ねるが、貼着したパッド片が摩耗したら、履物用パッド２０から新たに切り出したパッド片を再び靴底に貼着し、それを繰り返せば、補高、矯正状態を長期間持続していくことができる。これにより、靴の寿命が延びるだけでなく、脚長差によって生じる身体の歪みの進行や健康上の問題発生（健康障害）を回避することができる。
【００２６】
一方、靴の内底に硬い素材や滑りやすい素材が使用されている靴は、足を滑らせながら靴を履くことができるので、履き易いという長所がある反面、歩行中は、爪先に向かって下り勾配をなす靴内底面に沿って足が滑動するので、歩行中に体重が掛かる爪先が靴内の先端部分に押し付けられ、圧迫痛や損傷が生じることがある。また、歩行中、靴内の先端部分に向かって足が滑動すると、靴内の後端部分に隙間が生じ、踵が靴から抜けそうになるので、歩きづらくなる。
【００２７】
このような場合、図６に示すように、履物用パッド２０から切り出したパッド片２０ｘを、靴１０の内底１０ａにおいて、足裏の膨らみ部分と対向する部分に貼着すれば、足の前方滑動を有効に防止することができる。また、パッド片２０ｘを貼着することにより、靴１０の内底１０ａと足裏との密着度が増し、滑り難くなるので、歩行中の安定性が向上する。さらに、靴底が薄い靴の内底にパッド片を貼着すれば、当該パッド片が緩衝材として機能するので、歩行時に足裏に加わる衝撃を緩和することができる。
【００２８】
そのほか、履物用パッド２０から切り出したパッド片（図示せず）を内底に貼着することにより、靴を履いたときに足と靴の内面や内底との間に生じる空間を無くせば、靴と足との一体感が高まり、靴と足との摩擦も減少するので、履き心地が大幅に向上し、靴擦れを予防することができる。特に、デザイン重視のあまり、履き心地の良くない女性用靴において有効である。
【００２９】
また、履物用パッド２０から切り出したパッド片を、足裏の滑り防止及び安定材として靴の内底に貼着する場合、例えば、女性用のパンプスのように、靴内部の余裕（靴内面と足との隙間）の少ない靴の内底に貼着する場合、履物用パッド２０のフラット部２０ｆから切り出したパッド片を貼着することが望ましい。
【００３０】
一方、図６に示すように、内底１０ａにおいて足裏の土踏まずと対向する部分に履物用パッド２０から適切な形状に切り出したパッド片２０ｙを貼着すれば、この靴を履いた人の足裏の土踏まずを前記パッド片２０ｙによって支えることが可能となるため、フィット感が高まり、足の疲労を軽減することができる。
【００３１】
また、履物用パッド２０は靴底補修用として使用することもできる。この場合、図５に示す靴１０の底部１０ａにおける実際の摩耗部分の形状に合わせて、履物用パッド２０からパッド片２０ｐを切り出し、裏面の剥離シート２２ｐ（図２参照）を剥がして、粘着面（図示せず）を摩耗部分に貼着すれば、摩耗部分を元の状態に修復することができる。
【００３２】
図３，図４に示すように、履物用パッド２０は、シート材２０ｓの中央部分に位置する厚さ２０Ｔｆが一定のフラット部２０ｆと、フラット部２０ｆから周縁２０ａに向かって厚さ２０Ｔｔが連続的に増大したテーパ部２０ｔと、を備え、長円形をなす周縁２０ａには直線状部分と円弧状部分とが存在する。従って、靴１０の底部１３ａの摩耗部分の形状にほぼ見合った形状のパッド片を切り出すことが可能であり、前記パッド片の粘着面２０ｃ（図２参照）を摩耗部分に貼着することにより、摩耗部分を的確に補修することができる。また、パッド片を貼着してフラットになった靴底に、パッド片を重ねて貼り付け、養生・補高を図ることも可能である。
【００３３】
このように、履物用パッド２０は、用途に応じた適切なサイズ、形状にカットして靴底や内底などに貼着することにより、履き心地の向上、身体骨格の矯正、健康増進、疲労軽減、靴擦れ予防など様々な効果を得ることができるほか、靴底の摩耗部分の補修材として、あるいはフラット部２０ｆをテープのように切り出して、靴アッパー部内外の破損補修にも使用することができる。
【産業上の利用可能性】
【００３４】
本発明に係る履物用パッドは、靴、サンダル、草履、地下足袋、スリッパなどの各種履物において広く利用することができる。
【符号の説明】
【００３５】
１０  靴
１０ａ  靴底
１０ｂ  摩耗し易い部分
１０ｃ  内底
２０  履物用パッド
２０ａ  周縁
２０ｂ  境界部
２０ｃ  粘着面
２０ｆ  フラット部
２０ｐ，２０ｋ，２０ｍ，２０ｎ，２０ｘ，２０ｙ  パッド片
２０ｓ  シート材
２０ｔ  テーパ部
２０Ｔｆ，２０Ｔｔ  厚さ
２１  貫通孔
２２  剥離シート
Ｓ  直線帯状部
【図１】
2012045161.tif 000003
【図２】
2012045161.tif 000004
【図３】
2012045161.tif 000005
【図４】
2012045161.tif 000006
【図５】
2012045161.tif 000007
【図６】
2012045161.tif 000008
【図７】
2012045161.tif 000009